(57)【要約】【課題】  シングルレイヤータイプのディスクが装着されたときの起動時間の遅延を抑制でき、且つ、マルチレイヤータイプのディスクが装着されたときにも、ディスク種別を円滑に判別できるようにする。【解決手段】  物理処理にて、シングルレイヤーとマルチレイヤーの区別を行い、さらに、併せて、シングルレイヤーディスクのディスクカテゴリー（ＣＤ、ＤＶＤ、次世代ＤＶＤ、等）を判別する。物理処理は、信号生成回路１０２から入力されるフォーカスエラー信号のＳカーブの個数と、ピーク間隔、および、ＰＲＲ信号のゼロクロス点間隔をもとに行う。そして、判別結果がマルチレイヤーである場合には、続いて、各記録層に対する論理処理を実行し、当該マルチレイヤーディスクの具体的種別を特定する。論理処理は、復調回路１０５における各デコーダ部にて各記録層の信号を再生可能か否かによって行う。【選択図】    図４
2007012177.tif 000002
【特許請求の範囲】
【請求項１】
装着されたディスクに対しフォーカスサーチを行うフォーカスサーチ手段と、
前記フォーカスサーチによって検出されるフォーカスエラー信号上のＳカーブの個数から当該ディスクがマルチレイヤータイプであるかシングルレイヤータイプであるかを判別する第１の判別手段と、
前記第１の判別手段にてシングルレイヤータイプであると判別されたとき当該記録層に対する物理パラメータを取得して当該ディスクの種別を判別する第２の判別手段と、
前記第１の判別手段にてマルチレイヤータイプであると判別されたとき各記録層に対する論理処理を行って当該ディスクの種別を判別する第３の判別手段と、
を有することを特徴とする光ディスク装置。
【請求項２】
請求項１に記載の光ディスク装置において、
前記第２の判別手段は、前記物理パラメータとして、前記フォーカスエラー信号上のＳカーブの振幅値を取得する、
ことを特徴とする光ディスク装置。
【請求項３】
請求項１または２に記載の光ディスク装置において、
前記第２の判別手段は、前記物理パラメータとして、光ピックアップから出射されるレーザ光が光ディスクに対してディスク径方向に相対移動するときに生じるラジアルプッシュプル信号のゼロクロス点間隔を取得する、
ことを特徴とする光ディスク装置。
【請求項４】
請求項１ないし３の何れか一項に記載の光ディスク装置において、
前記第３の判別手段は、前記論理処理として、前記各記録層に対して波長を切り替えながらレーザ光を照射する処理と、このとき読み取られる信号に当該波長に応じた復調処理を施す処理と、当該復調処理が可能か否かを判別する処理と、各記録層に対する復調の可否から当該ディスクの種別を判別する処理とを行う、
ことを特徴とする光ディスク装置。
【請求項５】
請求項１ないし４の何れか一項に記載の光ディスク装置において、
前記フォーカスサーチ手段は、ディスクに照射し得る数種のレーザ光のうち一のレーザ光を用いてフォーカスサーチを行う、
ことを特徴とする光ディスク装置。
【請求項６】
請求項５に記載の光ディスク装置において、
当該光ディスク装置がＣＤ層に対応するレーザ光と、ＤＶＤ層に対応するレーザ光と、次世代ＤＶＤ層に対応するレーザ光をディスクに照射可能な互換型光ディスク装置である場合、前記フォーカスサーチ手段は、これらレーザ光のうち、ＤＶＤ層または次世代ＤＶＤ層に対応するレーザ光を用いてフォーカスサーチを行う、
ことを特徴とする光ディスク装置。
【発明の詳細な説明】
【技術分野】
【０００１】
本発明は、光ディスク装置に関し、特に、種々のディスクを取り扱い可能な互換型光ディスク装置に用いて好適なものである。
【背景技術】
【０００２】
近年、ＣＤ（Compact Disc）、ＤＶＤ（Digital Versatile Disc）等の光ディスクが商品化され広く普及している。また、最近では、青色レーザ光を用いた次世代ＤＶＤの規格化が進められている。これらディスクには、単一の記録層を有するシングルレイヤータイプの他、複数の記録層を有するマルチレイヤータイプのディスクが存在する。また、次世代ＤＶＤでは、マルチレイヤータイプの一つとして、赤色レーザ光に対応する記録層（以下、「ＤＶＤ層」という）と青色レーザ光に対応する記録層（以下、「ＨＤＤＶＤ層」という）をそれぞれ有するハイブリッド型ディスクが規格化されようとしている。
【０００３】
なお、以下の特許文献１には、２つの記録層を有する光ディスクとそのドライブ装置が紹介されている。
【特許文献３】特開２００３−３４６３４８号公報
【発明の開示】
【発明が解決しようとする課題】
【０００４】
次世代ＤＶＤが市場に導入された場合、これらディスクを取り扱うドライブ装置には、上述した各ディスクの種別、ならびに、記録層の層数およびその種別を判別する手段が必要となる。かかる判別手段として、各記録層の情報をそれぞれのレーザ光にて実際に再生し、その可否（論理処理）から、ディスク判別を行う手法を採用することができる。
【０００５】
しかし、こうすると、シングルレイヤータイプのディスクが装着された場合にも、それぞれのレーザ光にて、逐一、論理処理が行われることとなる。このため、シングルレイヤータイプのディスクに対する起動時間が遅延するとの問題が生じる。シングルレイヤータイプのディスクの場合、論理処理を行うまでもなく、フォーカスエラー信号等を用いた物理処理にて、比較的精度よくディスク判別可能である。
【０００６】
その一方で、マルチレイヤーディスクの場合には、記録層が複数存在するため、物理処理のみから精度よくディスク判別を行うのは困難である。特に、ハイブリッドタイプのディスクは、赤色レーザ光に対するＨＤＤＶＤ層の反射率が極めて低く設定されているため、赤色レーザ光にて物理判別を行うと、ＨＤＤＶＤ層の存在を適正に検出できない惧れがある。
【０００７】
現在、ディスク両面にＤＶＤ層が１層ずつ配されたディスク（両面１層ディスク）が普及している。このディスクに片面側から赤色レーザ光を照射すると、ハイブリッド型次世代ＤＶＤと同様のフォーカスエラー信号が検出される場合がある。したがって、フォーカスエラー信号をもとにディスク判別を行うと、両面１層ディスクとハイブリッド型次世代ＤＶＤを相互に誤判別する惧れがある。
【０００８】
そこで、本発明は、シングルレイヤータイプのディスクが装着されたときの起動時間の遅延を効果的に抑制でき、且つ、マルチレイヤータイプのディスクが装着されたときにも、ディスク種別を円滑に判別できる光ディスク装置を提供することをその課題とする。
【課題を解決するための手段】
【０００９】
本発明では、物理処理にて、シングルレイヤーディスクとマルチレイヤーディスクの区別を行い、さらに、併せて、シングルレイヤーディスクのディスクカテゴリー（ＣＤ、ＤＶＤ、次世代ＤＶＤ、等）を判別する。そして、物理処理における判別結果がマルチレイヤーディスクである場合には、続いて、各記録層に対する論理処理を実行し、各記録層の種別等、当該マルチレイヤーディスクの具体的種別を特定する。
【００１０】
このように、物理処理と論理処理を適宜切り替えて用いることにより、シングルレイヤータイプのディスクが装着されたときの起動時間の遅延を抑制でき、且つ、マルチレイヤータイプのディスクに対しても、ディスク種別を円滑に判別することができる。
【００１１】
請求項１の発明は、光ディスク装置において、装着されたディスクに対しフォーカスサーチを行うフォーカスサーチ手段と、前記フォーカスサーチによって検出されるフォーカスエラー信号上のＳカーブの個数から当該ディスクがマルチレイヤータイプであるかシングルレイヤータイプであるかを判別する第１の判別手段と、前記第１の判別手段にてシングルレイヤータイプであると判別されたとき当該記録層に対する物理パラメータを取得して当該ディスクの種別を判別する第２の判別手段と、前記第１の判別手段にてマルチレイヤータイプであると判別されたとき各記録層に対する論理処理を行って当該ディスクの種別を判別する第３の判別手段とを有することを特徴とする。
【００１２】
請求項２の発明は、請求項１に記載の光ディスク装置において、前記第２の判別手段は、前記物理パラメータとして、前記フォーカスエラー信号上のＳカーブの振幅値を取得することを特徴とする。
【００１３】
請求項３の発明は、請求項１または２に記載の光ディスク装置において、前記第２の判別手段は、前記物理パラメータとして、光ピックアップから出射されるレーザ光が光ディスクに対してディスク径方向に相対移動するときに生じるラジアルプッシュプル信号のゼロクロス点間隔を取得することを特徴とする。
【００１４】
請求項４の発明は、請求項１ないし３の何れか一項に記載の光ディスク装置において、前記第３の判別手段は、前記論理処理として、前記各記録層に対して波長を切り替えながらレーザ光を照射する処理と、このとき読み取られる信号に当該波長に応じた復調処理を施す処理と、当該復調処理が可能か否かを判別する処理と、各記録層に対する復調の可否から当該ディスクの種別を判別する処理とを行うことを特徴とする。
【００１５】
請求項５の発明は、請求項１ないし４の何れか一項に記載の光ディスク装置において、前記フォーカスサーチ手段は、ディスクに照射し得る数種のレーザ光のうち一のレーザ光を用いてフォーカスサーチを行うことを特徴とする。
【００１６】
請求項６の発明は、請求項５に記載の光ディスク装置において、当該光ディスク装置がＣＤ層に対応するレーザ光と、ＤＶＤ層に対応するレーザ光と、次世代ＤＶＤ層に対応するレーザ光をディスクに照射可能な互換型光ディスク装置である場合、前記フォーカスサーチ手段は、これらのレーザ光のうち、ＤＶＤ層または次世代ＤＶＤ層に対応するレーザ光を用いてフォーカスサーチを行うことを特徴とする。
【００１７】
なお、以下に示す実施の形態には、第２の判別手段にて取得される物理パラメータとして、Ｓカーブのピーク間隔と、ラジアルプッシュプル信号のゼロクロス点間隔が取得される例が示されている。すなわち、実施の形態では、Ｓカーブのピーク間隔から、ＣＤ系と、ＤＶＤ／次世代ＤＶＤ系が区別され、さらに、ラジアルプッシュプル信号のゼロクロス点間隔から、ＤＶＤ系と次世代ＤＶＤ系が区別される。
【００１８】
また、以下に示す実施の形態には、赤色レーザ光を用いてフォーカスサーチを行う例が示されており、また、赤色レーザ光と青色レーザ光を各記録層に照射して論理処理を行う例が示されている。
【００１９】
なお、以下の実施形態では、上記各手段における処理は、主として、コントローラ１０６にて行われる。
【発明の効果】
【００２０】
本発明によれば、第１の判別手段にて、シングルレイヤーとマルチレイヤーの区別が行われ、さらに、第２の判別処理にて、シングルレイヤーディスクのディスクカテゴリー（ＣＤ、ＤＶＤ、次世代ＤＶＤ、等）が判別される。そして、第１の判別手段における判別結果がマルチレイヤーである場合には、続いて、第３の判別手段にて、各記録層に対する論理処理が行われ、各記録層の種別等、当該マルチレイヤーディスクの具体的種別が特定される。
【００２１】
ここで、第１の判別手段と第２の判別手段では、フォーカスエラー信号やラジアルプッシュプル信号等の物理パラメータが取得されディスク判別が行われる。シングルレイヤーのディスクが装着された場合は、第１の判別手段と第２の判別手段における物理パラメータを用いた処理のみにてディスク判別が行われるため、判別処理の遅延を回避することができる。
【００２２】
また、マルチレイヤーディスクが装着された場合には、第３の判別手段による論理判別処理にてディスク種別が特定される。このため、誤判別のない適正なディスク判別を実現することができる。
【００２３】
このように、本発明によれば、物理判別と論理判別を適宜切り替えて行うことにより、シングルレイヤータイプのディスクが装着されたときの起動時間の遅延を抑制でき、且つ、マルチレイヤータイプのディスクに対しても、ディスク種別を円滑かつ適正に判別することができる。
【００２４】
本発明の効果ないし意義は、以下に示す実施の形態の説明により更に明らかとなろう。ただし、以下の実施の形態は、あくまでも、一つの例示であって、本発明ないし各構成要件の用語の意義が、実施の形態により制限されるものではない。
【発明を実施するための最良の形態】
【００２５】
以下、本発明の実施の形態につき図面を参照して説明する。
【００２６】
なお、本実施の形態では、次世代ＤＶＤ（シングルレイヤー、ＨＤＤＶＤ層片面マルチレイヤー、ＨＤＤＶＤ層／ＤＶＤ層片面ハイブリッド）と、ＤＶＤ（シングルレイヤー、ＤＶＤ層片面マルチレイヤー）と、ＣＤ（シングルレイヤー）を取り扱い可能な互換型光ディスク装置が例示されている。また、本実施の形態において、ディスク両面にＤＶＤ層を１層ずつ有するディスクはシングルレイヤーのＤＶＤとして取り扱われる。
【００２７】
図１に、ハイブリッド型の次世代ＤＶＤの構造を示す。
【００２８】
ハイブリッド型次世代ＤＶＤ１は、片面にＨＤＤＶＤ層１２が形成された基板１１と、片面にＤＶＤ層１４が形成された基板１３を、接着層１５によって貼り合わせ、さらに基板１１の反対側の面に印刷層１６を形成した構造となっている。レーザ光は、基板１３側から入射される。記録可能タイプの場合、ＨＤＤＶＤ層１２とＤＶＤ層１４には螺旋状のトラックが形成されている。再生専用タイプの場合、螺旋状にピットが配列されている。
【００２９】
ＤＶＤ層１４のデータフォーマットは既存ＤＶＤのデータフォーマットと同一である。ＤＶＤ層１４のリードイン情報には、ＨＤＤＶＤ層１２が存在することを示す情報は含まれていない。なお、ＤＶＤ層１４は、波長４０５ｎｍ程度の青色レーザ光と波長６５５ｎｍ程度の赤色レーザ光をそれぞれ規定された割合にて透過および反射する。
【００３０】
ＨＤＤＶＤ層１２には、次世代ＤＶＤ規格に従うデータフォーマットが適用されている。ＨＤＤＶＤ層１２のリードイン情報にも、ＤＶＤ層１４が存在することを示す情報は含まれていない（将来的には含まれる可能性はある）。ＨＤＤＶＤ層１４は、青色レーザ光を規定された反射率にて反射するが、赤色レーザ光に対する反射率はこれに比べて極めて低くなる材料にて形成されている。
【００３１】
なお、ＤＶＤ層が片面に２層配されたマルチレイヤータイプのＤＶＤは、図１の構成において、ＨＤＤＶＤ層１２がＤＶＤ層に置き換わった構成となっている。この場合、ＤＶＤ層のリードイン情報には、ＤＶＤ層が２つ存在することを示す情報が含まれている。
【００３２】
また、ＨＤＤＶＤ層が片面に２層配されたマルチレイヤータイプの次世代ＤＶＤは、図１の構成において、ＤＶＤ層１４がＨＤＤＶＤ層に置き換わった構成となっている。この場合も、ＨＤＤＶＤ層のリードイン情報に、ＨＤＤＶＤ層が２つ存在することを示す情報が含まれている。
【００３３】
図２（ａ）は、ＤＶＤ層またはＨＤＤＶＤ層を片面に２層有するマルチレイヤータイプのＤＶＤまたは次世代ＤＶＤに各波長のレーザ光を照射してフォーカスサーチを行ったときのフォーカスエラー信号上のＳカーブを模式的に例示するものである。なお、赤外レーザ光を用いる場合は、基板厚の関係から、青色レーザ光および赤色レーザ光を用いる場合に比べ、Ｓカーブのピーク間隔ＰＰ１、ＰＰ２がかなり小さくなる。すなわち、赤外レーザ光を用いる場合、対物レンズを含む光学系がＣＤの基板厚（１．２ｍｍ）に対応するよう調整されるため、この場合に、マルチレイヤータイプのＤＶＤまたはＨＤＤＶＤ（基板厚０．６ｍｍ）が装着されていると、ディスクからの反射光を適正に得られなくなる。このため、図２（ａ）に示すＳカーブのピーク間隔ＰＰ１、ＰＰ２がかなり小さくなる。
【００３４】
図２（ｂ）は、ハイブリッド型次世代ＤＶＤに赤色レーザ光を照射してフォーカスサーチを行ったときのフォーカスエラー信号上のＳカーブを模式的に例示するものである。なお、かかるハイブリッド型次世代ＤＶＤに青色レーザ光および赤外レーザ光を照射したときのＳカーブは、図２（ａ）の場合と同様となる。この場合も、赤外レーザ光を用いたときのＳカーブのピーク間隔ＰＰ１、ＰＰ２はかなり小さくなる。
【００３５】
シングルレイヤータイプのＣＤ、ＤＶＤ、ＨＤＤＶＤに各波長のレーザ光を照射してフォーカスサーチを行った場合は、フォーカスエラー信号上に、記録層によるＳカーブが現れる。なお、この他にも、基板表面によるＳカーブが現れるが、このＳカーブのピーク間隔は図２（ｂ）のピーク間隔ＰＰ２に比べ十分に小さいため、記録層によるＳカーブを検出するための限界値を適宜設定することにより、このＳカーブを記録層によるものとして誤検出することを回避することができる。
【００３６】
図３は、各波長のレーザ光をＣＤ系（ＣＤ−ＲＯＭ、Ｒ、ＲＷ）、ＤＶＤ系（ＤＶＤ−ＲＯＭ、Ｒ、ＲＷ）および次世代ＤＶＤ系（ＨＤＤＶＤ−ＲＯＭ、Ｒ、ＲＷ）に照射したときのピーク間隔の大きさを示すものである。上記の如く、ＤＶＤ系および次世代ＤＶＤ系ディスクに対し赤外レーザ光を用いてフォーカスサーチを行うと、基板厚の関係から、青色レーザ光および赤色レーザ光を用いる場合に比べ、Ｓカーブのピーク間隔が小さくなる。同様の理由から、ＣＤ系ディスクに対し青色レーザ光および赤色レーザ光を用いてフォーカスサーチを行うと、赤外レーザ光を用いる場合に比べ、Ｓカーブのピーク間隔が小さくなる。
【００３７】
本実施の形態では、かかるピーク間隔の相違をもとに、ＣＤ系ディスクと、次世代ＤＶＤ系およびＤＶＤ系ディスクの間の区別を行っている。これについては、図５を参照して、追って詳述する。
【００３８】
図４に、本実施形態に係る光ディスク装置の構成を示す。なお、同図には、再生系に関するブロックのみが示されている。
【００３９】
光ディスク装置は、光ピックアップ１０１と、信号生成回路１０２と、サーボ回路１０３と、レーザ駆動回路１０４と、復調回路１０５と、コントローラ１０６と、スピンドルモータ１０７と、ＡＶ処理回路１０８を備えている。
【００４０】
光ピックアップ１０１は、波長４０５ｎｍ程度の青色レーザ光と、波長６５５ｎｍ程度の赤色レーザ光と、波長７８０ｎｍ程度の赤外レーザ光を出射する半導体レーザが配備されている。さらに、これらレーザ光をディスク上に収束するための対物レンズと、対物レンズをフォーカス方向およびトラッキング方向に駆動する対物レンズアクチュエータと、ディスクからの反射光を受光する光検出器と、半導体レーザから出射される各レーザ光を対物レンズに導くとともにディスクからの反射光を光検出器に導く光学系を備えている。
【００４１】
信号生成回路１０２は、光ピックアップ１０１に配された光検出器からの信号を演算処理してＲＦ信号、フォーカスエラー信号、トラッキングエラー信号等の各種信号を生成し、これらを対応する回路に出力する。
【００４２】
サーボ回路１０３は、信号生成回路１０２から入力された信号をもとに、フォーカスサーボ信号およびトラッキングサーボ信号を生成し、光ピックアップ１０１の対物レンズアクチュエータに出力する。また、信号生成回路１０２から入力された信号をもとにモータサーボ信号を生成しスピンドルモータ１０７に出力する。
【００４３】
レーザ駆動回路１０４は、コントローラ１０６から入力される制御信号をもとに、光ピックアップ１０１内の半導体レーザに駆動信号を出力する。かかる制御により、青色レーザ光、赤色レーザ光および赤外レーザ光の発光が適宜切り替えられる。
【００４４】
復調回路１０５は、信号生成回路１０２から入力されたＲＦ信号を復調して再生データを生成しＡＶ処理回路１０８に出力する。復調回路１０５は、次世代ＤＶＤデータフォーマットに従ってデータ復調を行う復調部（ＨＤＤＶＤデコーダ部）と、ＤＶＤデータフォーマットに従ってデータ復調を行う復調部（ＤＶＤデコーダ部）と、ＣＤデータフォーマットに従ってデータ復調を行う復調部（ＣＤデコーダ部）を備えている。これらのうち何れの復調部を用いるかは、コントローラ１０６からの制御信号をもとに設定される。また、各復調部における復調の可否とリードイン情報等のサブ情報が、復調回路１０５からコントローラ１０６に出力される。
【００４５】
コントローラ１０６は、メモリ（図示せず）に各種データを格納するとともに、あらかじめ設定されたプログラムに従って各部を制御する。コントローラ１０６には、ディスク判別処理時に、信号生成回路１０２から、フォーカスエラー信号およびトラッキングエラー信号（ラジアルプッシュプル信号）が入力される。コントローラ１０６は、これらの信号をもとに、ディスク判別処理（物理判別）を行う。ディスク判別処理（物理判別）については、図５を参照して、追って詳述する。
【００４６】
ＡＶ処理回路１０８は、復調回路１０５から入力される再生データを処理して映像情報および音声情報を取得する。このうち、映像情報は、コントローラ１０６からの制御指示に従ってテレビ等の表示装置２００に出力される。音声情報は、コントローラ１０６からの制御指示に従ってスピーカ等（図示せず）に出力される。この他、コントローラ１０６からの信号に応じて、適宜、所定の画面あるいは音声を出力するための情報がＡＶ処理回路１０８から出力される。
【００４７】
図５に、ディスク判別時の処理フローチャートを示す。
【００４８】
ディスクが装着されると、赤色レーザ光が点灯され（Ｓ１０１）、所定速度にてディスクが回転される（Ｓ１０２）。そして、当該ディスクに対するフォーカスサーチが行われ（Ｓ１０３）、フォーカスエラー信号上に現れるＳカーブの個数と各Ｓカーブのピーク間隔が取得される（Ｓ１０４）。しかる後、光ピックアップ１０１がディスク径方向に一定速度で送られ（Ｓ１０５）、トラッキングエラー信号（ラジアルプッシュプル信号：ＲＰＰ信号）のゼロクロス点間隔が測定される（Ｓ１０６）。このとき測定されたゼロクロス点間隔は、当該ディスクのトラックピッチに応じたものとなる。
【００４９】
しかる後、Ｓ１０４にて取得されたＳカーブの個数が参照され、その個数が２つ以上であれば（Ｓ１０７：Ｙ）、当該ディスクは、マルチレイヤータイプまたはハイブリットタイプのディスクと判別される（Ｓ１１３）。一方、Ｓカーブの個数が１つであれば（Ｓ１０７：Ｎ）、当該ディスクは、シングルレイヤータイプと判別される（Ｓ１０８）。
【００５０】
なお、上記の如く、ディスク両面にＤＶＤ層を１層ずつ有するディスクが装着された場合には、フォーカスエラー信号上に、図２（ｂ）に示すようなＳカーブが生じることが起こり得る。この場合、本実施の形態では、Ｓ１０７からＳ１１３へと進み、当該ディスクは、マルチレイヤータイプまたはハイブリッドタイプと判別される。ただし、この判別結果は、Ｓ１１５における論理判別処理によって、当該ディスクに応じたものに訂正される。
【００５１】
Ｓ１０８にてシングルレイヤータイプであると判別されると、次に、Ｓ１０４にて取得されたＳカーブのピーク間隔と、Ｓ１０６にて取得されたＲＰＰ信号のゼロクロス点間隔をもとに、当該ディスクの種別が物理判別される。
【００５２】
具体的には、Ｓ１０４にて取得されたＳカーブのピーク間隔が、所定の閾値よりも小さいかが比較され、小さければ、当該ディスクはＣＤ系と判別され（Ｓ１１０）、大きければ、当該ディスクは、ＤＶＤ系または次世代ＤＶＤ系の何れかであると判別される。なお、閾値は、上記図３に示す、赤色レーザ光を用いた場合のＣＤ系のピーク間隔（小）とＤＶＤ系および次世代ＤＶＤ系のピーク間隔（大）とを区別できるものに設定される。
【００５３】
かかる判別においてＤＶＤ系または次世代ＤＶＤ系の何れかであるとされた場合には、次に、Ｓ１０６にて取得されたＲＰＰ信号のゼロクロス点間隔と閾値間隔とが比較される。図６は、対象ディスクがＤＶＤである場合と次世代ＤＶＤである場合のＲＰＰ信号を対比して示すものである。ここで、閾値間隔は、ＲＰＰ信号のゼロクロス点間隔をもとにＤＶＤと次世代ＤＶＤを区別できるものに設定される。
【００５４】
Ｓ１０６にて取得されたＲＰＰ信号のゼロクロス点間隔が閾値間隔よりも大きければ、当該ディスクはＤＶＤと判別され（Ｓ１１１）、小さければ、当該ディスクは次世代ＤＶＤと判別される（Ｓ１１２）。
【００５５】
図５に戻り、このようにして当該ディスクの種別が判別されると、次に、当該ディスクがマルチレイヤータイプまたはハイブリッドタイプとして判別されたかが判別される（Ｓ１１４）。ここで、マルチレイヤータイプまたはハイブリッドタイプとして判別された場合には、各記録層に対する読み取り試行が行われ、当該ディスクの種別が絞り込まれる（Ｓ１１５）。そして、光ディスク装置が当該絞込みに応じたディスクモードに設定され（Ｓ１１６）、設定されたモードに応じた処理が行われる（Ｓ１１７）。
【００５６】
一方、Ｓ１１４においてマルチレイヤータイプまたはハイブリッドタイプではないと判別されると、光ディスクは、Ｓ１１０〜Ｓ１１２にて設定されたディスク種別に応じたディスクモードに設定され（Ｓ１１６）、設定されたモードに応じた処理が行われる（Ｓ１１７）。
【００５７】
なお、Ｓ１１５における論理処理は、各記録層に照射するレーザ光を切り替えながら当該レーザ光に応じたデコーダ部にて復調処理を行い、そのときの復調の可否から、当該記録層がそのレーザ光とデコーダ部に対応するものであるかを判別することにより行われる。
【００５８】
図７は、Ｓ１１５における処理例を示すものである。
【００５９】
図５のＳ１１４にてマルチレイヤータイプまたはハイブリッドタイプであると判別されると、赤色レーザが点灯されたまま、１層目および２層目に対する再生処理が行われる（Ｓ２０１）。このとき、復調部１０５は、ＤＶＤデコーダ部にセットされる。そして、１層目および２層目に対する再生の可否が判別され（Ｓ２０２）、１層目および２層目とも再生可能であれば、当該ディスクはＤＶＤ層を２層（またはそれ以上）有するディスクとして判別される（Ｓ２０６）。
【００６０】
Ｓ２０２において、一方の層は再生可能、他方の層は再生不可能であると判別されると、次に、青色レーザが点灯され（Ｓ２０３）、再生不可能であった他方の層に対する再生処理が行われる（Ｓ２０４）。このとき、復調部１０５は、ＨＤＤＶＤデコーダ部にセットされる。そして、この層に対する再生の可否が判別され（Ｓ２０５）、再生可能であれば、当該ディスクはＤＶＤ層とＨＤＤＶＤ層を有するハイブリッド型次世代ＤＶＤとして判別される（Ｓ２０７）。また、当該他方の層に対する再生が不可であれば（Ｓ２０５：ＮＧ）、当該ディスクはＤＶＤ層を片面に１層のみ有するシングルレイヤータイプのＤＶＤとして判別される（Ｓ２０８）。
【００６１】
Ｓ２０２において、１層目、２層目とも再生不可能である場合には、図７のＳ２０９に移行して青色レーザが点灯され、１層目および２層目に対する再生処理が行われる（Ｓ２１０）。このとき、復調部１０５は、ＨＤＤＶＤデコーダ部にセットされる。そして、１層目および２層目に対する再生の可否が判別され（Ｓ２１１）、１層目および２層目とも再生可能であれば、当該ディスクはＨＤＤＶＤ層を２層（またはそれ以上）有するディスクとして判別される（Ｓ２１２）。また、一方の層は再生可能、他方の層は再生不可能であれば、当該ディスクはＨＤＤＶＤ層を１層のみ有するシングルレイヤータイプのＨＤＤＶＤとして判別される（Ｓ２１３）。
【００６２】
Ｓ２１２において、１層目、２層目とも再生不可能である場合には、装着されたディスクは当該光ディスク装置では再生不可であるとして、エラー処理がなされる（Ｓ２１４）。このとき、その旨を報知するための表示画面や音声が、図２の表示装置２００またはスピーカ（図示せず）から出力される。
【００６３】
なお、Ｓ２１２において、１層目、２層目とも再生不可能である場合には、直ちにエラー処理を行わず、赤外レーザ光を点灯して、記録層をＣＤとして再生可能であるかを検証するようにしても良い。この場合、復調部１０５は、ＣＤデコーダ部にセットされる。
【００６４】
図７のフローチャートでは、１層目と２層目のうち何れか一方のみを再生できる場合には、図５のＳ１１０にてなされたマルチレイヤータイプの判別結果をシングルレイヤータイプに変更し（Ｓ２０８、Ｓ２１３）、論理判別における判別結果を優先させるようにした。これにより、当該再生可能な記録層に対する処理に円滑に移行することができる。なお、この場合、直ちにシングルレイヤータイプへの変更を行わず、Ｓ２０１に戻り、再度、論理判別処理を行うようにしても良い。この場合、無限ループに入るのを回避するために、論理判別処理への復帰と繰り返し回数を所定回数に制限するようにする。
【００６５】
以上、本実施の形態によれば、シングルレイヤータイプのディスクが装着された場合には、論理判別を行わず物理判別のみからディスク種別が設定される。よって、シングルレイヤータイプのディスクが装着された場合の起動処理の遅延を抑制することができる。また、マルチレイヤータイプのディスクが装着された場合には、論理判別を行って、ディスク種別の特定が行われる。よって、マルチレイヤータイプのディスクに対する誤判別を抑制でき、円滑な記録・再生処理を実行できる。
【００６６】
なお、本発明は、上記実施の形態に限定されるものではなく、上記の他、種々の実施形態を採り得るものである。
【００６７】
たとえば、図５に示すフローチャートでは、赤色レーザ光にてフォーカスサーチを行うようにしたが、これ以外のレーザ光を用いてフォーカスサーチを行うことも可能である。
【００６８】
なお、ＤＶＤ系ディスクに対する処理を優先させる場合には、図５におけるフォーカスサーチを赤色レーザ光にて行うのが有利である。そうすると、シングルレイヤータイプのＤＶＤ系ディスクが装着された場合に、フォーカスサーチに用いた赤色レーザ光にて、そのまま、当該ディスクへの引き込み処理に移行することができる。マルチレイヤータイプのＤＶＤが装着された場合にも、物理判別にて用いた赤色レーザ光をそのまま用いて論理判別に移行することができ、さらに、この論理判別にてＤＶＤマルチであると判別されたことに応じて（Ｓ２０６）、そのまま、当該マルチレイヤータイプのＤＶＤに対する処理に移行することができる。
【００６９】
このように、図５におけるフォーカスサーチを赤色レーザ光にて行えば、ＤＶＤ系ディスクが装着された場合のディスク起動処理を円滑かつ迅速に行うことができる。同様の理由から、次世代ＤＶＤ系を優先させる場合は、青色レーザ光を用いてフォーカスサーチを行えば良い。この場合、図７の処理フローも、青色レーザ光ないしＨＤＤＶＤ系の判別処理を優先するものに変更される。
【００７０】
なお、ＣＤ系を優先させる場合には、同じく、赤外レーザ光を用いてフォーカスサーチが行われる。ただし、この場合は、基板厚との関係から、ＤＶＤ系および次世代ＤＶＤ系ディスクに赤外レーザ光を照射したときのＲＰＰ信号が円滑に得られない惧れがある。このため、上記と同様の処理では、ＤＶＤ系と次世代ＤＶＤ系を円滑に区別できない惧れがある。これを回避するためには、ＲＰＰ信号の取得処理時に赤外レーザ光から青色または赤色レーザ光に切り替える必要があるが、そうすると、物理判別時の処理が複雑化し、また、処理遅延へと繋がる惧れもある。したがって、フォーカスサーチ時には、むしろ赤外レーザ光を用いないのが好ましく、上述の如く、赤色レーザ光または青色レーザ光を用いてフォーカスサーチを行うのが好ましい。
【００７１】
また、上記実施の形態では、ＲＰＰ信号のゼロクロス点間隔をもとに、ＤＶＤ系と次世代ＤＶＤ系の判別を行うようにしたが、これ以外の物理パラメータをもとに、ＤＶＤ系と次世代ＤＶＤ系の判別を行うようにしても良い。また、Ｓカーブのピーク間隔からＤＶＤ系と次世代ＤＶＤ系を区別できる場合には、ピーク間隔から、ＤＶＤ系と次世代ＤＶＤ系の判別を行うようにしても良い。たとえば、１種類のレーザ光のみではなく、各波長のレーザ光をそれぞれ照射したときに得られる複数のＳカーブのピーク間隔を総合評価して画一的にＣＤ系、ＤＶＤ系および次世代ＤＶＤ系を区別できる場合には、上述のＲＰＰ信号による判別手法に代えて、この手法を用いるようにしても良い。この場合、それぞれのレーザ光を用いてフォーカスサーチが行われ、その都度、Ｓカーブのピーク間隔が取得される。
【００７２】
この他、本発明の実施の形態は、特許請求の範囲に示された技術的思想の範囲内において、適宜、種々の変更が可能である。
【図面の簡単な説明】
【００７３】
【図１】実施の形態に係るハイブリッド型次世代ＤＶＤの構造を示す図
【図２】実施の形態に係るフォーカスエラー信号のＳカーブを説明する図
【図３】実施の形態に係るレーザ光とＳカーブのピーク間隔の関係を示す図
【図４】実施の形態に係る光ディスク装置の構成を示す図
【図５】実施の形態に係るディスク判別時の処理フローチャート
【図６】実施の形態に係るＲＰＰ信号を用いた物理判別処理を説明する図
【図７】実施の形態に係るマルチレイヤーディスクの種別を判別するための処理フローチャート
【符号の説明】
【００７４】
１０１  光ピックアップ
１０２  信号生成回路
１０３  サーボ回路
１０４  レーザ駆動回路
１０５  復調回路
１０６  コントローラ
【図１】
2007012177.tif 000003
【図２】
2007012177.tif 000004
【図３】
2007012177.tif 000005
【図４】
2007012177.tif 000006
【図５】
2007012177.tif 000007
【図６】
2007012177.tif 000008
【図７】
2007012177.tif 000009